(57)【要約】      （修正有）【課題】箱形状の本体部の中間部に不透明の内側観音扉と、前部に透明の外側観音扉とが二重に設けられており、内側観音扉と背面部とで形成された内側収納部に内側観音扉から骨壺等を収納することが可能であり、外側観音扉と内側観音扉とで形成された収納部に外側観音扉から写真・遺影、仏花等を収納することが可能な納骨壇を提供する。【解決手段】台座部２と、該台座部上に立設された本体部３と、該本体部上に被装された天井部４とを備えた納骨壇１であって、前記本体部は、内側収納部と外側収納部６とを備えた箱形状に形成され、前記内側収納部と外側収納部の境界部に形成された内側観音扉８と、外側収納部の前面に設けられた外側観音扉９とを備え、前記内側観音扉は、不透明部材で形成され、前記外側観音扉は、透明部材で形成されていることを特徴とする。【選択図】図１
0003225590.tif 000002
【実用新案登録請求の範囲】
【請求項１】
台座部と、該台座部上に立設された本体部と、該本体部上に被装された天井部とを備えた納骨壇であって、
前記本体部は、内側収納部と外側収納部とを備えた箱形状に形成され、前記内側収納部と外側収納部の境界部に形成された内側観音扉と、外側収納部の前面に設けられた外側観音扉とを備え、
前記内側観音扉は、不透明部材で形成され、前記外側観音扉は、透明部材で形成されている
ことを特徴とする納骨壇。
【請求項２】
前記内側収納部の上下方向の略中間部の水平方向に、内側棚板を固定的又は着脱自在に設け、
前記外側収納部の上下方向の略中間部の水平方向に、外側棚板を着脱自在に設けた
ことを特徴とする請求項１に記載の納骨壇。
【請求項３】
前記本体部は、左側板と、右側板と、背面板とを有し、該左側板、該右側板、及び、該背面板は、いずれも不透明部材で形成されている
ことを特徴とする請求項１又は請求項２に記載の納骨壇。
【考案の詳細な説明】
【技術分野】
【０００１】
本考案は、仏壇としても使用可能な納骨壇に関し、特に、内部に骨壺、故人の生前の写真、遺影、仏花等を収納することができる納骨壇に関するものである。
【背景技術】
【０００２】
近年、墓地の不足、墓・土地の価格の高騰等から、都市部を中心に納骨壇の需要が高まっており、霊園や寺院等では、多数の納骨壇の設置が行われている。納骨壇としては、コンパクトな箱型で、内部に位牌や骨壺を収納することができる構造のものが広く知られている。
【０００３】
例えば、特許文献１には、「納骨壇の前方に枢設される扉を改良し、当該扉に物を配置可能な収容部を増設することで、骨壺の安置領域と位牌・祭物の安置領域とを区分し、礼拝者が扉を開放することなく扉上の収容部のドアを開放すれば、故人を悼んで安心して祈りを捧げることが可能となる納骨壇の扉構造を提供することを主たる目的」（段落「０００４」参照。）として、「筐体を含み、当該筐体の前方に開口が備えられ、開口の一方の側辺に扉が枢設される納骨壇の扉構造において、当該扉はフレーム部を含み、当該フレーム部に収容部が設けられ、当該収容部の前方はフレーム部から突出しており、フレーム部のうち当該収容部の前方の側辺に位置する箇所には第１湾曲プレートが設けられ、当該第１湾曲プレートが当該収容部を開閉する機能を有するように、当該第１湾曲プレートの一方の側辺はフレーム部と収容部の交差箇所に近接して枢設されることを特徴とする扉構造」（「請求項１」参照。）が記載されている。
【０００４】
また、納骨檀と祭壇を組み合わせて仏壇としてしようできる納骨仏壇も提案されている。例えば、特許文献２には、「設置場所のスペースは住宅事情等も考慮して最小で良く、納骨に併せて祭壇としても使用したい場合には、納骨室の上に祭壇を重ねて使用できるように構成した仏壇を提供するのが目的」（段落「０００５」参照。）として、「内部に納骨室を形成し、この納骨室の正面側を開放して両サイドに折戸式の扉を取り付けて成る納骨壇と、前記納骨室内に正面側から組み付け自在に形成されていると共に必要に応じて納骨室から引き出し、納骨壇の上に二段重ねにして使用できる祭壇と、から成る納骨仏壇」（段落「請求項１」参照。）が記載されている。
【０００５】
また、内部の収納部を区切った納骨壇も提案されている。例えば、特許文献３には、「仏壇の扉を二重構造とし、命日とか、いわゆるお盆の期間中など特定の日の間は外から中の飾りがよく見えるようにするとともに、非衛生にならないようにした透明二重扉付き仏壇を提供する」（段落「０００４」参照。）ことを目的として「壇の外扉の内側正面に、一部細孔を穿けた開閉可能な透明プラスチック製内側観音扉を設け、該内側観音扉の外から仏壇内部の葬祭用具，葬祭用装置品を目視できるようにしたことを特徴とする透明二重扉付き仏壇」（段落「請求項１」参照。）が記載されている。
【先行技術文献】
【特許文献】
【０００６】
【特許文献１】実用新案登録第３２１５４６１号公報
【特許文献２】実用新案登録第３１９９９６４号公報
【特許文献３】実用新案登録第３０００６１８号公報
【考案の概要】
【考案が解決しようとする課題】
【０００７】
ところで、霊園や寺院に設置されている納骨壇は、納骨壇の内部が常時視認される構造ではないものが多いと思われるが、納骨壇（仏壇として兼用するものも含む。）を、故人の遺族が住宅に設置するような場合は、納骨壇に、骨壺だけでなく、故人の生前の写真、遺影、仏花等を収納して、写真、遺影、仏花等を、逐一扉を開放しなくても、常時外部から視認することができれば、遺族が日常的に遺影や写真を見て故人の生前の思い出を偲ぶことができ、また、仏花が視認できるので、単なる納骨壇や仏壇としてだけでなく、おしゃれなインテリアとしても観賞することができる。
【０００８】
しかしながら、特許文献１に記載の「納骨壇」は、明記されてはいないが、「扉１」は不透明であり、外部から内部を視認するためには、「扉１」を開放しなければならない構造であるものと推量される。また、「骨壺の安置領域と位牌・祭物の安置領域とを区分」（段落「０００４」参照。）するための「表像部１２４」が簡単に開閉できる構造ではなく（段落「０００７」〜「０００９」、図１〜図１２等参照。）、使い勝手がよくないものと推量される。
【０００９】
また、特許文献２に記載された「納骨仏壇」は、「納骨壇の納骨室内に祭壇を収納して見掛け上は納骨壇だけの形態となし、骨壷がない場合にはこのまま扉を閉じ、家具調として室内に置くことができる」（段落「０００９」参照。）、「壷又は骨箱がある場合には、納骨壇内から祭壇をとり出し、この納骨壇内に骨壷又は骨箱を収納し、この納骨壇の上に祭壇を載置し、祭壇内に位牌とか遺影、仏器等を収める」（段落「００１０」参照。）と記載されているが、「納骨壇４」と「祭壇１」を別体に設けて、それらを組み付けて仏壇として使用するものであるので、組み付け時間を要するので、さらなるコンパクト化が必要であるものと推量される。また、特許文献２の図１の「祭壇１」は「正面２」が開放されているので、誇り・ゴミ等の清掃をこまめにする必要がある
【００１０】
また、特許文献３に記載された「透明二重扉付き仏壇」（「仏壇本体２」）は、前述したように「仏壇の扉を二重構造とし、命日とか、いわゆるお盆の期間中など特定の日の間は外から中の飾りがよく見えるようにするとともに、非衛生にならないようにした透明二重扉付き仏壇を提供する」（段落「０００４」参照。）との記載はあるものの、「開閉可能な透明プラスティック製の内扉４」の「外側に、該内扉を閉塞するように、不透明な両開き式の外扉３が本体２の正面に設けられている」（段落「０００７」、図１等参照。）と記載されている。つまり、日常的には、「外扉３」を閉じているので外から中の飾りを視認することができない、という構造にされている。
【００１１】
そこで、本考案は、収納部を、骨壺等を収納する内側収納部と、故人の遺影・写真、仏花等を収納する外側収納部との二重構造にし、内側収納部は、不透明部材の内側観音扉で常時外部から視認することができず、外側収納部は、透明部材の外側観音扉で常時外部から視認することができる構成の納骨壇を提供することを目的とする。
【００１２】
また、本考案は、簡単な構成で、仏壇としても利用できる納骨壇を提供することを目的とする。
【課題を解決するための手段】
【００１３】
上記の目的を達成するため、請求項１の考案は、台座部と、該台座部上に立設された本体部と、該本体部上に被装された天井部とを備えた納骨壇であって、前記本体部は、内側収納部と外側収納部とを備えた箱形状に形成され、前記内側収納部と外側収納部の境界部に形成された内側観音扉と、外側収納部の前面に設けられた外側観音扉とを備え、前記内側観音扉は、不透明部材で形成され、前記外側観音扉は、透明部材で形成されていることを特徴とする。
【００１４】
また、請求項２の考案は、請求項１に記載の考案において、前記内側収納部の上下方向の略中間部の水平方向に、内側棚板を固定的又は着脱自在に設け、前記外側収納部の上下方向の略中間部の水平方向に、外側棚板を着脱自在に設けたことを特徴とする。
【００１５】
また、請求項３の考案は、請求項１又は請求項２に記載の考案において前記本体部は、左側板と、右側板と、背面板とを有し、該左側板、該右側板、及び、該背面板は、いずれも不透明部材で形成されていることを特徴とする。
【考案の効果】
【００１６】
本考案の納骨壇によれば、不透明な左右側板及び内側観音扉によって外部から視認できない内側収容部に骨壺を収納し、透明な外側観音扉によって外部から視認可能な外側収容部に故人の写真、遺影、仏花等を収納することができるので、仏壇としても使用することができ、また、お洒落なインテリアとして部屋に置くことができるという顕著な効果を奏する。
【００１７】
また、本考案の納骨壇によれば、コンパクトな構成であり、螺子等により直接壁に着脱することができ、または、螺子を用いた掛止手段で壁に着脱できるので、壁等への着脱を容易に行うことができるという顕著な効果を奏する。
【図面の簡単な説明】
【００１８】
【図１】本考案の一実施形態における納骨壇の全体外観斜視図である。
【図２】本考案の一実施形態における納骨壇の正面図である。
【図３】本考案の一実施形態における納骨壇の背面図である。
【図４】本考案の一実施形態における納骨壇の右側面図である。
【図５】本考案の一実施形態における納骨壇の平面図である。
【図６】本考案の一実施形態における納骨壇の底面図である。
【図７】図２のＡ−Ａ線断面図である。
【図８】図２のＢ−Ｂ線断面図である。
【図９】本考案の一実施形態における納骨壇の外側観音扉を開いた状態を示す図である。
【図１０】本考案の一実施形態における納骨壇の外側観音扉と内側観音扉を開いた状態を示す図である。
【図１１】本考案の一実施形態における納骨壇において骨壺を収納した状態を示す図である。
【図１２】本考案の一実施形態における納骨壇において遺影・写真・花立て用花瓶等を収納した状態を示す図である。
【考案を実施するための形態】
【００１９】
以下、好適な実施形態を用いて本考案をさらに具体的に説明する。但し、下記の実施形態は本考案を具現化した例に過ぎず、本考案はこれに限定されるものではない。なお、説明の便宜上、本明細書で示す上，下，左，右，前，後の方向は、図中で示す矢印の上，下左，右，前，後の方向と対応するものとする。
【００２０】
（実施形態）
本考案の実施形態におけるに納骨壇１について、図１〜図１２を参照しながら説明する。図１は、本考案の一実施形態における納骨壇の全体外観斜視図であり、図２は、本考案の一実施形態における納骨壇の正面図であり、図３は、本考案の一実施形態における納骨壇の背面図であり、図４は、本考案の一実施形態における納骨壇の右側面図であり、図５は、本考案の一実施形態における納骨壇の平面図であり、図６は、本考案の一実施形態における納骨壇の底面図であり、図７は、図２のＡ−Ａ線断面図であり、図８は、図２のＢ−Ｂ線断面図であり、図９は、本考案の一実施形態における納骨壇の外側観音扉を開いた状態を示す図であり、図１０は、本考案の一実施形態における納骨壇の外側観音扉と内側観音扉を開いた状態を示す図であり、図１１は、本考案の一実施形態における納骨壇の骨壺を収納した状態を示す図であり、図１２は、本考案の一実施形態における納骨壇の遺影・写真等を収納した状態を示す図である。
【００２１】
本考案の実施形態の納骨壇１は、台座部２と、台座部２上に立設された本体部３と、本体部３上に被装された天井部４とを備えている。台座部２は、底面視略矩形に形成され、側面は最下層から最上層にかけて階段状に縮径された形状に形成されている。本体部３は、前後方向に隣接した内側収納部５と外側収納部６とから構成された箱形状の箱体部７と、内側収納部５と外側収納部６の境界部に設けられた内側観音扉８と、外側収納部６の前面に設けられた外側観音扉９とを備えている。「内側」は、図面上、「後側」であり、「外側」は、図面上、「前側」である。天井部４は、本体部３上に形成され、前面に欄間風の彫刻が施された天井側面部４ａと、天井側面部４ａに被装して取付けられた天板部４ｂを備えている。天板部４ｂは、平面視略矩形をなし、側面は最上層から最下層にかけて段階的に縮径された形状に形成されており、天板部４ｂの前面中央部には上方に突出したアーチ部４ｃが形成されている。
【００２２】
本体部３は、前方が開口され、左側板７Ｌと右側板７Ｒと背面板７Ｂを有する箱形状に形成され、内部は、内側収納部５と外側収納部６とを備え、内側収納部５と外側収納部６との境界部には、内側観音扉８が設けられており、外側収納部６の前面には、外側観音扉９が設けられている。内側収納部５には、略中央部の水平方向（左右方向）に、一枚の内側棚板５ａが着脱自在に取り付けられている。内側棚板５ａは、左端が左側版７Ｌに当接し、右端が右側板７Ｒに当接し、後端が背面板７Ｂに当接するように形成されている。なお、内側棚板５ａは、左側板７Ｌ，右側板７Ｒ，背面板７Ｂの少なくともいずれかに固定的に取り付けられてもよい。また、外側収納部６には、略中央部の水平方向（左右方向）に、一枚の外側棚板６ａが着脱自在に取り付けられている。外側棚板６ａは、左端が左側版７Ｌに当接し、右端が右側板７Ｒに当接し、後端が閉扉状態の内側観音扉８に当接するように形成されている。なお、台座部２、天井部４、左側板７Ｌ、右側板７Ｒ、背面板７Ｂは、例えば、木製の不透明部材で形成されている。
【００２３】
内側観音扉８は、不透明部材、例えば、一対の左側木製板８Ｌ及び右側木製板８Ｒで形成されており、左側木製板８Ｌは、左側平蝶番１０Ｌを介して左側平蝶番取付板１５Ｌの右側縁部に取付けられ、右側木製板８Ｒは、右側平蝶番１０Ｒを介して、右側平蝶番取付板１５Ｒの左側縁部に取り付けられている。左側平蝶番取付板１５Ｌの左側縁部は、左側板７Ｌに上下方向に取付けられ、右側蝶番取付板１５Ｒの右側縁部は、右側板７Ｒに上下方向に取付けられている。骨壺等、常時外部から視認させたくないような物は、この不透明部材で形成された内側観音扉８を開扉することで、内側収納部５に収納することができ、内側観音扉８を閉扉することで、外部から視認することができないようにすることができる。また、左側木製板８Ｌと右側木製板８Ｒとの境界部の上端近傍、及び、対応する天井部４の下面中央部には、周知のマグネットキャッチ１２が設けられており、ユーザーが簡単に内側観音扉５の開閉作業を行うことができる構成にされている。マグネットキャッチは、一般的に、ヨーク部を有する本体部と、受け板とを備えている。本考案の実施形態では、天井部４の下面中央部に本体部を設け、左側木製板８Ｌと右側木製板８Ｒとの境界部の上端近傍に受け板を備えた構成にしたが、適宜変更されてよい。
【００２４】
外側観音扉９は、透明部材、例えば、一対の左側ガラス板９Ｌ及び右側ガラス板９Ｒで形成されており、左側ガラス板９Ｌは、左側ガラス板取付板１６Ｌの右側縁部に取付けられており、右側ガラス板９Ｒは、右側ガラス板取付板１６Ｒの左側縁部に取付けられている。左側ガラス板取付板１６Ｌの背面左端部は、左側スライド蝶番１１Ｌを介して、左側板７Ｌの前端部に取付けられ、右側ガラス板取付板１６Ｒの背面右端部は、右側スライド蝶番１１Ｒを介して、右側板７Ｒの前端部に取付けられている。故人の生前の写真、遺影、仏花（仏花用花瓶を含む。）等、常時外部から視認させておきたいような物は、この透明部材で形成された外側観音扉９を開扉することで外側収納部６に収納することができ、外側観音扉９を閉扉しても、常時、外部から視認可能にすることができる。左側スライド蝶番１１Ｌ、および、右側スライド蝶番１１Ｒは、左側ガラス板取付板１６Ｌの背面、右側ガラス板取付板１６Ｒの背面に取り付けられているので、外部から視認できない構成とされている。また、外側観音扉９の前面中央部には、一対の装飾された取手１４Ｌ，１４Ｒが設けられており、ユーザーが外側観音扉９の開閉を容易に行うことができるように構成されている。
【００２５】
図１１には、納骨壇１の内側観音扉８及び外側観音扉９を開扉し、骨壺１７を、内側収納部５に収納した状態を示し、図１２は、納骨壇１の内側観音扉８を閉扉し、外側観音扉９開扉して、外側収納部６に、遺影１８、写真１９、仏花用の花瓶２０等を収納した状態を示す。このように、収納部を内側収納部５と外側収納部６の二重構造にして、内側収納部５は、不透明部材の内側観音扉８によって、常時内部を視認できないようにすることができ、かつ、外側収納部６は、透明部材の外側観音扉９によって、常時内部を視認することができるようにした。また、納骨壇１は、図示していないが、例えば、背面板７Ｂを螺子等で直接住居等の壁に螺着して簡単に取付けることができ、また、螺子等で構成された取付手段を介して住居等の壁に簡単に着脱自在に取り付けることができる。
【符号の説明】
【００２６】
１      納骨壇
２      台座
３      本体部
４      天井部
４ａ    天井側面部
４ｂ    天板部４ｂ
４ｃ    アーチ部
５      内側収納部
５ａ    内側棚板
６      外側収納部
６ａ    外側棚板
７      箱体部
７Ｂ    背面板
７Ｌ    左側版
７Ｒ    右側版
８      内側観音扉
８Ｌ    左側木製板
８Ｒ    右側木製板
９      外側観音扉
９Ｌ    左側ガラス板
９Ｒ    右側ガラス板
１０Ｌ  左側平蝶番
１０Ｒ  右側平蝶番
１１Ｌ  左側スライド蝶番
１１Ｒ  右側スライド蝶番
１２    マグネットキャッチ
１４Ｌ  左側取手
１４Ｒ  右側取手
１５Ｌ  左側平蝶番取付板
１５Ｒ  右側平蝶番取付板
１６Ｌ  左側ガラス板取付板
１６Ｒ  右側ガラス板取付板
１７    骨壺
１８    遺影
１９    写真
２０    仏花用の花瓶
【図１】
0003225590.tif 000003
【図２】
0003225590.tif 000004
【図３】
0003225590.tif 000005
【図４】
0003225590.tif 000006
【図５】
0003225590.tif 000007
【図６】
0003225590.tif 000008
【図７】
0003225590.tif 000009
【図８】
0003225590.tif 000010
【図９】
0003225590.tif 000011
【図１０】
0003225590.tif 000012
【図１１】
0003225590.tif 000013
【図１２】
0003225590.tif 000014